(57)【特許請求の範囲】
【請求項１】
サービングセルから第２のセルにハンドオーバするユーザ装置（ＵＥ）のための方法であって、
ネットワークコントローラが、ＵＥから測定報告を受信するステップであって、前記測定報告は前記サービングセル及び１つ以上の候補サービングセルの無線リンク測定量を有し、前記測定量は干渉キャンセレーション又は抑制後に測定され、前記測定報告における前記測定量は前記サービングセル及び前記１つ以上の候補サービングセルのそれぞれの長期チャネル品質インジケータ推定を含む、受信するステップと、
前記ネットワークコントローラが、前記ＵＥからの前記測定報告の前記長期チャネル品質インジケータ推定に部分的に基づき、前記１つ以上の候補サービングセルのうちの前記第２のセルに前記ＵＥをハンドオーバするか判定するステップと、
を有する方法。
【請求項２】
前記第２のセルに前記ＵＥをハンドオーバするステップを更に有する、請求項１記載の方法。
【請求項３】
前記測定報告は、受信信号コード電力（ＲＳＣＰ）及び受信信号強度インジケータ（ＲＳＣＰ／ＲＳＳＩ）を示す１つ以上の測定量を含む、請求項１又は２記載の方法。
【請求項４】
前記測定報告は、前記候補サービングセルの１つのリンク品質と現在のサービングセルのリンク品質との間の差を示す少なくとも１つの測定量を含む、請求項１乃至３何れか一項記載の方法。
【請求項５】
前記サービングセルはＮｏｄｅＢにより提供され、前記第２のセルは低電力ノード（ＬＰＮ）により提供される、請求項１乃至４何れか一項記載の方法。
【請求項６】
前記サービングセル及び前記第２のセルは、同一のＮｏｄｅＢによって、又は異なるＮｏｄｅＢによって提供される、請求項１乃至４何れか一項記載の方法。
【請求項７】
前記ＵＥによる測定報告は、イベント１Ｄの発生によってトリガされる、請求項１乃至６何れか一項記載の方法。
【請求項８】
前記測定報告は、所定のスケジュールに従って定期的に前記ＵＥによって送信される、請求項１乃至６何れか一項記載の方法。
【請求項９】
前記１つ以上の候補サービングセルのリンク品質に対して前記ＵＥにより実行される１つ以上の測定を設定するため、測定制御メッセージを前記ＵＥに送信するステップを更に有する、請求項１乃至８何れか一項記載の方法。
【請求項１０】
前記ＵＥによる測定報告は、エンハンスされたイベント１Ｄの発生によってトリガされる、請求項１乃至６何れか一項記載の方法。
【請求項１１】
前記エンハンスされたイベント１Ｄは、前記サービングセルと前記候補サービングセルの１つとのリンクレベルパフォーマンスの間の差の値の判定と、前記エンハンスされたイベント１Ｄをトリガすることを決定するため、判定するための所定の閾値と前記差の値との比較とを有する、請求項１０記載の方法。
【請求項１２】
前記エンハンスされたイベント１Ｄは、リンクパフォーマンスのための所定の閾値により設定される、請求項１０記載の方法。
【請求項１３】
候補サービングセルのリストが、無線リンク測定を実行するため前記ＵＥに通知される、請求項１乃至１２何れか一項記載の方法。
【請求項１４】
サービングセルから第２のセルにハンドオーバするユーザ装置（ＵＥ）のための方法であって、
前記ＵＥが、前記サービングセル及び１つ以上の候補サービングセルの無線リンク測定量を提供するため、無線リンクパフォーマンスに関連する１つ以上の測定を実行するステップと、
前記ＵＥが、ネットワークコントローラに測定報告を送信するステップであって、前記測定報告は、前記サービングセル及び前記１つ以上の候補サービングセルの無線リンク測定量を有し、前記測定報告における前記測定量は前記サービングセル及び前記１つ以上の候補サービングセルのそれぞれの長期チャネル品質インジケータ推定を含む、送信するステップと、
を有し、
前記測定報告は、前記１つ以上の候補サービングセルのうちの前記第２のセルに前記ＵＥをハンドオーバするか判定するため、前記長期チャネル品質インジケータ推定が前記ネットワークコントローラにおいて利用されるよう構成される方法。
【請求項１５】
前記測定報告は、現在のサービングセル及び前記候補サービングセルの１つからの干渉キャンセレーション又は抑制後の測定を含む、請求項１４記載の方法。
【請求項１６】
前記測定報告は、受信信号コード電力（ＲＳＣＰ）及び受信信号強度インジケータ（ＲＳＣＰ／ＲＳＳＩ）を示す１つ以上の測定量を含む、請求項１４記載の方法。
【請求項１７】
前記測定報告は、前記候補サービングセルの１つのリンク品質と現在のサービングセルのリンク品質との間の差を示す少なくとも１つの測定量を含む、請求項１４記載の方法。
【請求項１８】
前記サービングセルはＮｏｄｅＢにより提供され、前記第２のセルは低電力ノード（ＬＰＮ）により提供される、請求項１４乃至１７何れか一項記載の方法。
【請求項１９】
前記第２のセルは、前記サービングセルを提供する同一のＮｏｄｅＢによって提供される、請求項１４乃至１７何れか一項記載の方法。
【請求項２０】
前記測定報告は、イベント１Ｄの発生に応答して前記ＵＥにより送信される、請求項１４乃至１９何れか一項記載の方法。
【請求項２１】
前記測定報告は、所定のスケジュールに従って定期的に前記ＵＥによって送信される、請求項１４乃至１９何れか一項記載の方法。
【請求項２２】
前記ネットワークコントローラから測定制御メッセージを受信するステップを更に有し、
前記ＵＥは、前記測定制御メッセージの受信に応答して前記１つ以上の測定を実行する、請求項１４乃至２１何れか一項記載の方法。
【請求項２３】
前記ＵＥは、エンハンスされたイベント１Ｄの発生に応答して前記測定報告を送信する、請求項１４乃至１９何れか一項記載の方法。
【請求項２４】
前記エンハンスされたイベント１Ｄは、前記サービングセルと前記候補サービングセルの１つとのリンクレベルパフォーマンスの間の差の値の判定と、前記エンハンスされたイベント１Ｄをトリガすることを決定するため、所定の閾値と前記差の値との比較とを有する、請求項２３記載の方法。
【請求項２５】
前記エンハンスされたイベント１Ｄは、リンクパフォーマンスのための所定の閾値により設定される、請求項２３記載の方法。
【請求項２６】
情報要素（ＩＥ）は、候補サービングセルのリストを前記ＵＥに示すのに利用される、請求項１４乃至２５何れか一項記載の方法。
【請求項２７】
サービングセルから第２のセルにハンドオーバするユーザ装置（ＵＥ）のために構成されるネットワークコントローラ装置であって、
少なくとも１つのメモリと、
前記少なくとも１つのメモリに結合される少なくとも１つのプロセッサであって、
ＵＥから測定報告を受信するステップであって、前記測定報告は、前記サービングセル及び１つ以上の候補サービングセルの無線リンク測定量を有し、前記測定報告における前記測定量は前記サービングセル及び前記１つ以上の候補サービングセルのそれぞれの長期チャネル品質インジケータ推定を含む、受信するステップと、
前記ＵＥからの前記測定報告の前記長期チャネル品質インジケータ推定に部分的に基づき、前記１つ以上の候補サービングセルのうちの前記第２のセルに前記ＵＥをハンドオーバするか判定するステップと、
を実行するよう構成される少なくもと１つのプロセッサと、
を有する装置。
【請求項２８】
サービングセルから第２のセルにハンドオーバするユーザ装置（ＵＥ）のために構成されるユーザ装置であって、
少なくとも１つのメモリと、
前記少なくとも１つのメモリに結合される少なくとも１つのプロセッサであって、
前記サービングセル及び１つ以上の候補サービングセルの無線リンク測定量を提供するため、無線リンク状態に関連する１つ以上の測定を実行するステップと、
ネットワークコントローラに測定報告を送信するステップであって、前記測定報告は、前記サービングセル及び前記１つ以上の候補サービングセルの無線リンク測定量を有し、前記測定報告における前記測定量は前記サービングセル及び前記１つ以上の候補サービングセルのそれぞれの長期チャネル品質インジケータ推定を含む、送信するステップと、
を実行するよう構成され、
前記測定報告は、前記１つ以上の候補サービングセルのうちの前記第２のセルに前記ＵＥをハンドオーバするか判定するため、前記長期チャネル品質インジケータ推定が前記ネットワークコントローラにおいて利用されるよう構成されるユーザ装置。
【発明の詳細な説明】
【技術分野】
【０００１】
本出願は、２０１４年３月１９日に出願された“ＵＥ−ＳＰＥＣＩＦＩＣ  ＯＦＦＬＯＡＤＩＮＧ”という名称の米国仮特許出願第６１／９５５，６０６号、２０１４年３月３１日に出願された“ＡＤＡＰＴＩＶＥ  ＣＩＯ  ＡＮＤ  ＵＥ−ＳＰＥＣＩＦＩＣ  ＯＦＦＬＯＡＤＩＮＧ”という名称の米国仮特許出願第６１／９７２，９６５号、及び２０１５年３月１６日に出願された“ＳＹＳＴＥＭ  ＡＮＤ  ＭＥＴＨＯＤ  ＦＯＲ  ＵＥ−ＳＰＥＣＩＦＩＣ  ＯＦＦＬＯＡＤＩＮＧ”という名称の米国出願第１４／６５９，２６０号の利益を主張する。これらの出願のそれぞれは、参照することによりその全体がここに援用される。
【０００２】
本開示は、一般にヘテロジーニアスネットワーク及びユニバーサル・モバイル・テレコミュニケーションズ・システム（ＵＭＴＳ）ユーザ装置（ＵＥ）を含む無線通信ネットワークに関し、より詳細には、オフロード処理及びセル個別オフセット（ＣＩＯ）適応化のためのシステム及び方法に関する。
【背景技術】
【０００３】
高パワーＮｏｄｅＢ（マクロセル）及び低パワーノード（ＬＰＮ）の混合された配置を含むヘテロジーニアスネットワーク（Ｈｅｔｎｅｔ）の配置は、ネットワークキャパシティ及びカバレッジを増大させることを目的とする。ロードインバランスは、特にＨｅｔｎｅｔに対して、ネットワーク配置における一般的な問題である。例えば、ＬＰＮは、通常は低パワーにより送信し、ＬＰＮのカバレッジを限定的にする。さらに、ＬＰＮは常にホットスポットエリアの中心に配置できるとは限らない。これら２つの要因は、ロードの軽いＬＰＮとオーバロードのマクロセルとを導く可能性がある。ロードバランシング技術は、ネットワークキャパシティ及びユーザ体感を向上させるのに利用可能である。しかしながら、ロードバランシング技術の多くは最善ではない。
【発明の概要】
【０００４】
一実施例によると、ユーザ装置（ＵＥ）のオフロード処理のための方法が提供される。当該方法は、ネットワークコントローラが、ＵＥから測定報告を受信することを含み、測定報告は、サービングセル及び１つ以上の候補サービングセルの少なくとも１つの無線リンク測定量であり、測定量は干渉キャンセレーション又は抑制後に測定される。当該方法はまた、ＵＥからの測定報告に部分的に基づき、１つ以上の候補サービングセルのうちの第２のセルにＵＥをオフロードするか判定することを含む。
【０００５】
他の実施例によると、ＵＥにおけるＵＥのオフロード処理のための方法が提供される。当該方法は、ＵＥが、サービングセル及び１つ以上の候補サービングセルの少なくとも１つの無線リンクパフォーマンスに関連する１つ以上の測定を実行することを含む。当該方法はまた、ＵＥが、ネットワークコントローラに測定報告を送信することを含み、測定報告は、サービングセル及び１つ以上の候補サービングセルの少なくとも１つの無線リンクパフォーマンスに関連する１つ以上の測定を有する。測定報告は、１つ以上の候補サービングセルのうちの第２のセルにＵＥをオフロードするか判定するため、ネットワークコントローラにおいて利用されるよう構成される。
【図面の簡単な説明】
【０００６】
本開示及びその効果のより完全な理解のため、同様の番号が同様のオブジェクトを示す添付図面に関して行われる以下の説明が参照される。
【図１】図１は、一例となるヘテロジーニアスネットワーク（Ｈｅｔｎｅｔ）を示す。
【図２】図２は、他の例となるＨｅｔｎｅｔを示す。
【図３】図３は、３ＧＰＰ  ＴＳ２５．３０２における図７と同様の測定モデルを示す。
【図４】図４は、本開示による測定報告、ＵＥに固有のＣＩＯ適応化及びオフロード処理のための一例となる処理のワークフロー図を示す。
【図５】図５は、本開示による測定報告、ＵＥに固有のＣＩＯ適応化及びオフロード処理のための他の例となる処理のワークフロー図を示す。
【図６】図６は、ここに開示される装置及び方法を実現するのに利用可能な一例となる通信システムを示す。
【図７】図７Ａ及び７Ｂは、ここに開示される方法及び教示を実現するのに利用可能な一例となる装置を示す。
【発明を実施するための形態】
【０００７】
後述される図１〜７Ｂと、本特許文献における本発明の原理を説明するのに利用される各種実施例とは、説明のみのためであり、本発明の範囲を限定するよう何れの方法でも解釈されるべきでない。当業者は、本発明の原理が何れかのタイプの適切に構成された装置又はシステムにより実現されうることを理解するであろう。
【０００８】
本開示の実施例は、あるセルから通常はより低いロードを有する他のセルへのＵＥのオフロード処理に関する。オフロードの決定は、サービングセル及び候補サービングセルのトラフィックロードと、オフロード処理前後のＵＥのリンクレベルパフォーマンス差とに基づく。トラフィックロードは、ネットワークによって知られてもよい。ＵＥのリンクレベルパフォーマンスは、ＵＥ受信能力及び無線リンク状態に密接に関連しうる。ＵＥは、現在のサービングセル及び近傍の候補サービングセルからの無線リンク状態をネットワークに報告する。トラフィックロード及び無線リンク状態のＵＥ報告に基づき、ネットワークは、ＵＥに固有のセル個別オフセット（ＣＩＯ）を設定するか、又はオフロード手順を直接トリガすることによって、ＵＥを新たなセルにオフロードする。開示された実施例はヘテロジーニアスネットワーク（すなわち、異なる送信パワーを備えたＮｏｄｅＢを有するネットワーク）に関して説明されるが、開示される実施例は、ホモジーニアスネットワーク（すなわち、実質的に同じ送信パワーを備えたＮｏｄｅＢを有するネットワーク）にもまた適用可能である。
【０００９】
図１は、一例となるヘテロジーニアスネットワーク（Ｈｅｔｎｅｔ）１００を示す。Ｈｅｔｎｅｔは、ネットワークキャパシティ及びカバレッジを増大させるよう構成される高パワーＮｏｄｅＢ（マクロセル）及び低パワーノード（ＬＰＮ）の混合された配置である。図１に示されるように、Ｈｅｔｎｅｔ１００は、カバレッジエリア１１５を提供するマクロＮｏｄｅＢ１１０と、カバレッジエリア１２５を提供するＬＰＮ１２０とを含む。Ｈｅｔｎｅｔでは、ＵＥは、マクロセルからＬＰＮにオフロード可能であり、より高いデータレートを享受できる。システムキャパシティ及びカバレッジゲインは、ＬＰＮにより提供されたエンハンスされたスケジューリング機会から主として生じる。従って、ＬＰＮにより提供されるべきより多くのＵＥをオフロードすることは、Ｈｅｔｎｅｔ配置において重要となりうる。
【００１０】
Ｈｅｔｎｅｔにおいて、マクロＮｏｄｅＢとＬＰＮとの間の送信パワーの差は、アップリンク（ＵＬ）及びダウンリンク（ＤＬ）について異なるカバレッジエリアをもたらし、これは、通常はＵＬ−ＤＬインバランスとして参照される。ダウンリンクカバレッジは、各ノードの送信パワーによって決定され、高送信パワーのノードは、低送信パワーのノードより大きなエリアをカバーする。例えば、図１において、マクロＮｏｄｅＢのカバレッジエリア１１５は、ＬＰＮ１２０のカバレッジエリア１２５より大きい。サービングセルの選択は、ダウンリンクの受信信号強度に基づく。サービングセル変更のセル個別オフセット（ＣＩＯ）が０ｄＢに設定されている場合、マクロＮｏｄｅＢ及びＬＰＮからのダウンリンク信号パワーが同じである位置にＵＥが配置されているとき、セル変更のためのイベント１Ｄ（後述される）が報告される。当該位置において、マクロＮｏｄｅＢにおいて受信されるアップリンク信号は、ＬＰＮにおいて受信される信号よりはるかに弱いか、あるいは、等しくは、ＵＥからマクロＮｏｄｅＢへのパスロスは、ＵＥからＬＰＮへのパスロスより大きい。従って、等しいアップリンクパスロスを備えたＵＥ位置と、等しいダウンリンク受信パワーを備えたＵＥ位置とは異なり、当該位置の間の領域はインバランス領域として参照される。
【００１１】
セルレンジ拡張（ＣＲＥ）は、ＬＰＮのカバレッジエリアを拡大させるための技術であり、オフロード処理に影響を与える。ＣＲＥによると、ＬＰＮにおけるＣＩＯは、ゼロより高い値に設定される。これは、図１における拡張されたカバレッジエリア１２８により示されるように、ＬＰＮのカバレッジエリアを拡張する。このとき、使用中のＣＲＥによると、ＵＥがマクロセルによって当初提供されていたエリア（例えば、図１において、カバレッジエリア１２５の外側であるが、拡張されたカバレッジエリア１２８の内側であるエリア）において、ＵＥが代わりにＬＰＮにオフロードされる。当該エリアは、ＣＲＥエリアとして参照される。ＬＰＮによって提供されるより多くのＵＥをオフロードするため、ＣＲＥエリアは拡大されるべきである。ＣＲＥエリアを拡大するための１つの典型的な技術は、より大きなハンドオーババイアシングパラメータを設定することを含む。
【００１２】
３ＧＰＰ  ２５．３３１に規定されるように、サービングセル変更手順は、規定されたイベント１Ｄによって開始される。イベント１Ｄは、以下の条件が充足されるとき、あるＵＥに対してトリガされる。
【数１】
0006334728.tif 000002
ここで、ＭＮｏｔＢｅｓｔはＵＥのサービングセルでないセルの測定結果であり、ＣＩＯＮｏｔＢｅｓｔは当該指定されたセルのセル個別オフセットであり、ＭＢｅｓｔはＵＥのサービングセルの測定結果であり、ＣＩＯＢｅｓｔはＵＥのサービングセルのセル個別オフセットであり、Ｈ１ｄはイベント１Ｄのヒステリシスパラメータである。
【００１３】
ＣＩＯパラメータは、無線ネットワークコントローラ（ＲＮＣ）からの無線リソース制御（ＲＲＣ）シグナリングによって、又はサービングＮｏｄｅＢからのシステム情報ブロック（ＳＩＢ）情報によって設定可能である。１つの個別のＣＩＯが１つの個別のセル（ＣＩＯＢｅｓｔ）に対して設定される。イベント１Ｄがトリガされると、ＵＥは、測定結果を含む測定報告をＲＮＣに送信する。当該測定報告（ＭＢｅｓｔに関連する）に基づき、ＲＮＣは、ＵＥが式（１）を充足する指定されたＮｏｔＢｅｓｔセルにハンドオーバ（オフロードされる）すべきであるか判断する。
【００１４】
上述したサービングセル変更手順によると、ＵＭＴＳにおいて、レンジ拡張はより大きなＣＩＯＮｏｔＢｅｓｔパラメータを用いることによって実現可能であることが理解できる。いくつかのＨｅｔｎｅｔ配置では、ネットワークは、ＬＰＮセルについてより大きなＣＩＯパラメータ（ＣＩＯＬＰＮとして特定される）を利用可能であり、この場合、ＵＥはＬＰＮにハンドオーバする傾向がより高くなる（高速ダウンリンクパケットアクセス（ＨＳＤＰＡ）では、ハンドオーバはサービングセル変更と呼ばれる）。従って、より多くのＵＥがＬＰＮにオフロードされることになり、Ｈｅｔｎｅｔのシステムキャパシティ及びカバレッジパフォーマンスを向上させることができる。
【００１５】
ＵＥをロードのない又はロードが軽いセルにオフロードするために大きなＣＩＯパラメータを適用することによって、ＣＲＥ技術は、ネットワークキャパシティ及びカバレッジに利益を提供可能である。しかしながら、ＣＲＥ技術は、オフロードされたＵＥのパフォーマンスを向上させないかもしれない。オフロード処理が適用されるとき、ＵＥパフォーマンスに影響を与える複数の要因がある。１つの要因は、新たなサービングセルが以前のセルと比較してロードがないか、又はロードが軽い場合、新たなＮｏｄｅＢからのスケジューリングリソース又は機会が増加する。他の要因は、無線リンクの劣化である。すなわち、オフロードされたＵＥが以前のサービングリンクと比較して、より不良なサービングリンクを被る可能性がある。これは、（オフロード処理前の以前のサービングセルでありうる）近傍セルからの強い干渉信号のためでありうる。
【００１６】
図２において、具体例が示される。図２は、ＲＮＣ２３０に通信結合されるマクロＮｏｄｅＢ２１０及びＬＰＮ２２０を含む他の一例となるＨｅｔｎｅｔ２００を示す。Ｈｅｔｎｅｔ２００はまた、ＵＥ２４０により表される１つ以上のＵＥを含む。図２に示されるように、マクロＮｏｄｅＢ２１０はオーバロードであり、ＬＰＮ２２０はロードがないか、又はロードが軽い。これは、Ｈｅｔｎｅｔ配置における典型的なシナリオとなりうる。このシナリオでは、オフロード処理前、ＵＥ２４０は、サービングセル（マクロＮｏｄｅＢ２１０）からより良好なダウンリンク無線リンクを受ける。しかしながら、ＵＥ２４０は、マクロＮｏｄｅＢ２１０上の限定的なスケジューリングリソースのため、滅多にスケジューリングされない。オフロード処理後、オフロードされたＵＥ２４０は、より多くのスケジューリング送信時間間隔（ＴＴＩ）によりスケジューリング可能である。しかしながら、スケジューリングされた各ＴＴＩ上で伝送可能なデータは、新たなサービングセル（ＬＰＮ２２０）からのより不良な無線リンクのため劣化しうる。
【００１７】
各ＴＴＩにおいてサポートされるデータレート（又は、より一般的には、ＵＥ２４０のリンクレベルパフォーマンス）は、無線リンク状態だけでなくＵＥ２４０の受信能力によってもまた影響を受ける。干渉キャンセレーション受信機において見つけられるようなより強力な受信処理を備えたＵＥは、同じ無線リンク状態下においてより強力でない受信機と比較して、より大きなデータレートをサポートできる。
【００１８】
Ｈｅｔｎｅｔ２００における異なる受信機を備えた他のＵＥの有無に依存して、ＵＥ２４０のオフロード処理は、ＵＥ２４０に対して異なる影響及び全体的なシステムパフォーマンスを有してもよい。従って、セル固有のオフロード処理／ＣＩＯ適応化手段が現実的な配置においてベストなパフォーマンスを常に保証するとは限らないことが観察される。
【００１９】
特定のＵＥをオフロードする決定は、現在のサービングセル及び候補となる新たなサービングセルのロードと、オフロード処理前後のリンクレベルパフォーマンス差とに基づくものとすることができる。当該ロードは、ネットワークにより知られている。リンクレベルパフォーマンスは、大部分の従来のネットワークではＵＥによってのみ知られているＵＥ受信能力と無線リンク状態とに密接に関連する。オフロード処理決定を向上させるため、ネットワークはまた候補近傍サービングセルにおける無線リンク状態の知識を有するべきである。これは、現在のネットワークではサポートされていない。
【００２０】
これらの問題に対処するため、本開示の実施例は、ネットワークがＵＥに固有のオフロード処理及びＣＩＯ適応化を実行することを可能にするための方法及びシステムを提供する。開示された実施例では、オフロード処理前（ここでは、ＵＥが現在のサービングセルにおいてサービス提供される）及びオフロード処理後（ここでは、ＵＥが候補近傍サービングセルの１つにおいてサービス提供される）とのリンクレベルパフォーマンス差がネットワーク側に通知可能である。
【００２１】
これを実現するため、本開示の実施例は、オフロード処理がＵＥに適用される場合、リンクレベルパフォーマンス差を通知するためのシグナリングを規定する。いくつかの実施例では、当該シグナリングは、サービングセル及び候補近傍サービングセルのリンクレベルパフォーマンスを通知する新たな測定報告を含むことができる。いくつかの実施例では、測定報告は、受信信号コード電力（ＲＳＣＰ）及び受信信号強度インジケータ（ＲＳＣＰ／ＲＳＳＩ）などの従来の測定量を含む。従来の測定量（ＲＳＣＰ及びＲＳＣＰ／ＲＳＳＩなど）に加えて（又は代わりに）、測定報告はリンクレベルパフォーマンス差を反映するメトリックを含むことができる。一例となるメトリックＣＱＩ＿ｃａｎｄｉｄａｔｅが以下で説明される。
【００２２】
上記測定が与えられると、ネットワークは以下の側面の１つ以上に基づきＵＥをオフロードするか決定できる。
【００２３】
リンクレベル評価：ＵＥ位置は、従来のＲＳＣＰ測定から取得可能である。オフロード処理後のリンク品質差は、サービングセルと近傍セルとのＣＱＩの間の差から評価可能である。
【００２４】
スケジューリングリソースゲイン評価：リソース使用はＲＮＣ又は他のネットワークエンティティにより知られる。ネットワークは、ＵＥが新たなセルにオフロードされる場合、スケジューリングリソースにおいてどれくらいのゲインがＵＥに対して取得可能であるかを評価できる。
【００２５】
オフロードする決定がなされると、オフロード手順が、（１）従来のＲＲＣシグナリングを利用することによるハンドオーバ手順を直接トリガする、（２）従来のＲＲＣシグナリングを介しＵＥに対してＵＥに固有のＣＩＯを設定する、又は（３）他の適した方法によって、実行可能である。
【００２６】
開示される実施例は、以下でより詳細に説明されるように、候補近傍セルからの無線リンクレベルパフォーマンスＣＱＩ＿ｃａｎｄｉｄａｔｅの新たな測定、候補近傍セルセットに対して測定を実行するようＵＥを設定すること、及び新たな測定報告のための１つ以上のトリガイベントに着目する。オフロードするためのネットワークの決定は、従来の測定と新たな測定との双方に基づくものとすることができる。
【００２７】
リンクレベルパフォーマンスを通知するための測定報告
【００２８】
いくつかの実施例では、無線リンクレベルパフォーマンスの新たな測定は、ＵＥ側で規定及び設定される。新たな測定を利用して、データチャネルのリンクレベルパフォーマンスを反映する測定量が、サービングセルと１つ以上の候補近傍サービングセルとに対して評価できる。新たな測定報告は、新たな測定を報告するのに利用可能である。測定報告は、サービングセルと候補近傍サービングセルとにおけるリンクレベルパフォーマンスの間の差を反映する測定を含みうる。測定報告はまた、ＲＳＣＰ、ＲＳＣＰ／ＲＳＳＩ及びエネルギー・パー・チップ・オーバ・ノイズ（Ｅｃ／Ｎｏ）などの従来の測定を任意的に含むことができる。
【００２９】
ＣＱＩ＿ｃａｉｄｉｄａｔｅとして参照される新たな測定は、候補近傍セルからのチャネル品質インジケータ（ＣＱＩ）として規定できる。ＣＱＩ＿ｃａｎｄｉｄａｔｅの規定は、３ＧＰＰ  ＴＳ２５．２１４のセクション６Ａ．２における規定と同様である。例えば、セクション６Ａ．２は、“無制限の観察間隔に基づき、ＵＥは、トランスポートブロックサイズ、ＨＳ−ＰＤＳＣＨコードの数、及び報告された又はより低いＣＱＩ値に対応する変調によりフォーマット化された単一のＨＳ−ＤＳＣＨサブフレームが、報告されたＣＱＩ値が送信される最初のスロットの開始前の３つのスロットリファレンス期間のエンドの１つのスロットにおいて０．１を超えないトランスポートブロックエラー確率により受信可能な最も高い表形式のＣＱＩ値を報告する。”ことについて述べている。本開示では、（セクション６Ａ．２において規定されるように）サービングセルのＣＱＩの推定である代わりに、ＣＱＩ＿ｃａｎｄｉｄａｔｅは非サービングセル（すなわち、候補近傍セル）のＣＱＩの推定である。この物理レイヤの測定は、本開示の図３に示される３ＧＰＰ  ＴＳ２５．３０２のセクション９．１の図７において示される標準化されたモデルに従ってフィルタリングされる。レイヤ３のフィルタリング後、候補近傍セルの長期ＣＱＩ推定が取得される。長期ＣＱＩ推定は、ＬＣＱＩ＿ｃａｎｄｉｄａｔｅとして参照される。測定モデルは、３ＧＰＰ  ＴＳ２５．３０２のセクション９．１において既に規定され、非サービング候補近傍セルリンクに対して実行される測定を用いてここでは適用可能である。
【００３０】
サービングセルからの従来のＣＱＩはまた、候補近傍セルからのＣＱＩと同じフィルタリング技術を用いてフィルタリングされる。レイヤ３のフィルタリング後、長期ＣＱＩ推定が取得される。サービングセルの長期ＣＱＩ推定は、ＬＣＱＩ＿ｃａｎｄｉｄａｔｅとして参照される。
【００３１】
いくつかの実施例では、ＵＥは、測定イベントがトリガされると、フィルタリングされた値、ＬＣＱＩ＿ｓｅｒｖｉｎｇ及びＬＣＱＩ＿ｃａｎｄｉｄａｔｅをＲＮＣに送信する。ＲＮＣは、ＵＥが現在のサービングセルによりサービス提供されているときと、ＵＥが候補近傍セルによってサービス提供されうるときとのＵＥのリンクレベルパフォーマンス差を推定する。１つの方法は、２つの長期ＣＱＩの間の差を計算し、当該差と所定の閾値とを比較することである。
【００３２】
いくつかの実施例では、ＵＥは、サービング及び近傍セルからの長期ＣＱＩ推定のフィルタリングを実行し、２つのＣＱＩ値の間の差を推定する。それから、ＵＥは、当該差の値をＲＮＣに送信する。
【００３３】
候補近傍セルのリストが、新たに規定された測定ＣＱＩ＿ｃａｎｄｉｄａｔｅに対して設定可能である。候補近傍セルリストを設定する意図は、ＵＥ上のオーバヘッドを低下させることである。リストを使用することによって、ＵＥは、非候補セルの不要なポストＩＣ測定を回避できる。ＵＥがアクセス可能であって、ハンドオーバしうる候補セルのみが候補リストのメンバーとして設定される。候補近傍セルリストは、ロードが軽く、オフロード処理の良好な候補セルである近傍セルセットに限定可能である。一例として、いくつかのＨｅｔｎｅｔシステムでは、マクロセルによりカバーされるＬＰＮのみがＣＱＩ＿ｃａｎｄｉｄａｔｅを測定するため設定可能である。他の例として、いくつかのＨｅｔｎｅｔシステムでは、最も強力な近傍セルからのＣＱＩ＿ｃａｎｄｉｄａｔｅのみが測定される。更なる他の例として、いくつかのホモジーニアスなネットワークでは、６セクタ配置がいくつかのＮｏｄｅＢ上で用いられる。このシナリオでは、より多くのＵＥが同一のＮｏｄｅＢ上の２つの近接するセクタ間の端のエリアに位置している。これらのＵＥについて、ＲＮＣは、現在のサービングセルの近傍セルを候補近傍セルリストに含め、ＲＲＣシグナリングを用いて、候補近傍セルリストのセルのポストＩＣ測定（例えば、長期ＣＱＩ）を測定するようＵＥに要求する。
【００３４】
一例として、ＲＮＣが測定制御メッセージを用いてポストＩＣ測定（例えば、長期ＣＱＩ）を実行するようＵＥを設定するとき、近傍セルリストをＵＥに通知するための情報要素（ＩＥ）が使用される。近傍セルリストのセルは、ＵＥによりアクセス可能な候補セルである。一例は、同じＮｏｄｅＢ上の近傍セルと、サービングセルによりカバーされるＬＰＮセルとである。
【００３５】
測定が取得されると、当該測定は、ここに説明されるような測定報告においてネットワーク（例えば、ＲＮＣ）に報告できる。測定報告は、異なる発生に応答して送信可能である。いくつかの実施例では、測定報告は、所定のイベント又はトリガの発生に応答して送信可能である。他の実施例では、測定報告は、所定のスケジュールに従って（すなわち、定期的に）送信可能である。
【００３６】
測定報告が所定のイベント又はトリガに応答して送信される実施例では、トリガは以下の式に基づくものとすることができる。
【数２】
0006334728.tif 000003
ただし、Ｍｃａｎｄｉｄａｔｅは現在のサービングセルでない候補セルの測定結果であり、Ｍｓｅｒｖｉｎｇは現在のサービングセルの測定結果であり、ｆ１（Ｍｃａｎｄｉｄａｔｅ）及びｆ２（Ｍｓｅｒｖｉｎｇ）はそれぞれＭｃａｎｄｉｄａｔｅ及びＭｓｅｒｖｉｎｇの関数であり、ｆ３（ｚ１，ｚ２，．．．）は変数の個数に依存してｚ１，ｚ２，．．．の関数であり、ｚ１，ｚ２，．．．は、以下の例で説明されるような実施例に依存して変わりうる異なるパラメータである。
【００３７】
第１の例では、式１は以下の式によって表現でき、
【数３】
0006334728.tif 000004
ただし、Ｍｃａｎｄｉｄａｔｅは候補セルの測定結果であり、Ｍｓｅｒｖｉｎｇは現在のサービングセルの測定結果であり、Ｔｈｒｅｓｈｏｌｄ１はネットワークにより設定される閾値パラメータ又は値である。
【００３８】
測定Ｍｃａｎｄｉｄａｔｅ及びＭｓｅｒｖｉｎｇは、関連するデータチャネルのリンクレベルパフォーマンスを反映する。従って、ＭｃａｎｄｉｄａｔｅとＭｓｅｒｖｉｎｇとを比較することによって、ＵＥがサービングセルから候補セルにオフロードされることが想定される場合、リンクレベルパフォーマンス差が評価できる。
【００３９】
ＭｃａｎｄｉｄａｔｅとＭｓｅｒｖｉｎｇとの間の差が閾値Ｔｈｒｅｓｈｏｌｄ１以下であるとき、ＵＥがサービングセルから候補セルにオフロードされた後、リンクレベルパフォーマンスは実質的に劣化しないことが想定できる。この場合、ＵＥは、より多くのスケジューリングリソースを提供するよう候補セルにオフロードできる。従って、式２が指定された期間（Ｔｉｍｅ  ｔｏ  Ｔｒｉｇｇｅｒとして参照される）において充足されると、測定値が測定報告においてＵＥによってＲＮＣに送信される。
【００４０】
第２の例では、式１は以下の式によって表現でき、
【数４】
0006334728.tif 000005
ただし、Ｍｃａｎｄｉｄａｔｅは候補セルの測定結果であり、ＣＩＯｃａｎｄｉｄａｔｅは候補セルの長期ＣＱＩ個別オフセット（ＬＣＩＯ）であり、Ｍｓｅｒｖｉｎｇは現在のサービングセルの測定結果であり、ＣＩＯｓｅｒｖｉｎｇは現在のサービングセルの長期ＣＩＯであり、Ｈ１ｄはイベントのヒステリシスパラメータである。
【００４１】
測定値Ｍｃａｎｄｉｄａｔｅ及びＭｓｅｒｖｉｎｇは、関連するデータチャネルのリンクレベルパフォーマンスを反映する。従って、ＭｃａｎｄｉｄａｔｅとＭｓｅｒｖｉｎｇとを比較することによって、ＵＥがサービングセルから候補セルにオフロードされることが想定される場合、リンクレベルパフォーマンス差が評価できる。
【００４２】
ＭｃａｎｄｉｄａｔｅとＭｓｅｒｖｉｎｇとの間の差が所定の閾値以下であるとき、ＵＥがサービングセルから候補セルにオフロードされた後、リンクレベルパフォーマンスは実質的に劣化しないことが想定できる。この場合、ＵＥは、より多くのスケジューリングリソースを提供するよう候補セルにオフロードできる。従って、式３が指定された期間（Ｔｉｍｅ  ｔｏ  Ｔｒｉｇｇｅｒとして参照される）において充足されると、測定値が測定報告においてＵＥによってＲＮＣに送信される。
【００４３】
上述したように、いくつかの実施例では、測定報告は所定の定期的な報告スケジュールに従って送信可能である。報告間隔Ｔは、測定制御メッセージにおいて設定され、ＵＥに提供可能である。ＵＥが報告間隔Ｔを認識すると、ＵＥは、報告間隔Ｔに従って測定報告をＲＮＣに定期的に送信できる。いくつかの実施例では、定期的な報告は、イベントトリガされた報告後に開始できる。例えば、いくつかのケースでは、イベントトリガされた報告が行われた後、ＵＥは、セル端に配置されてもよい。セル端のＵＥについて、サービングセル及び候補セルからのチャネル状態は再び変わるかもしれず、セル変更の条件が充足されうる。このようなシナリオでは、定期的な報告は判定によってＲＮＣがオフロードすることに役立ちうる。
【００４４】
図４は、本開示による測定報告及びＵＥに固有のＣＩＯ適応化及びオフロード処理のための一例となる処理のワークフロー図を示す。当該処理４００は、Ｈｅｔｎｅｔ１００、Ｈｅｔｎｅｔ２００又は他の何れか適したシステムにおいて実行されてもよい。
【００４５】
処理４０１において、ＲＮＣは、サービングセル及び候補近傍サービングセルにおけるリンクレベルパフォーマンスの間の差を反映するＵＥにより実行される１つ以上の測定を設定するための測定制御メッセージをＵＥに送信する。当該１つ以上の測定は、１つ以上のＣＱＩ＿ｃａｎｄｉｄａｔｅ値、長期ＣＱＩ値、ＬＣＱＩ＿ｃａｎｄｉｄａｔｅ値、フィルタリングされたＣＱＩ値、他の適した測定値又はこれらの２つ以上の組み合わせを含むことができる。
【００４６】
処理４０３において、ＲＮＣから受信した測定設定に基づき、ＵＥは１つ以上の測定を実行する。
【００４７】
処理４０５において、トリガイベントの発生後、ＵＥは、測定報告をＲＮＣに送信する。当該トリガイベントは、上述したトリガイベントの１つとすることができる。測定報告は、サービングセル及び１つ以上の候補近傍セルの測定量を含む、処理４０３において行われた測定を含みうる。従来の測定量がまた測定報告に含まれる場合、ＲＮＣは、元のサービングセルとターゲットの候補オフロードセルとの間のＵＥの位置を推定できる。従って、ジオメトリ差がまた評価でき、適切なＣＩＯ値がＵＥのオフロード処理のため選択できる。
【００４８】
新たな測定報告が受信されると、ＲＮＣは、測定報告における測定データを評価し、ＵＥをオフロードするか判断する。これは以下の処理４０７、４０９及び４１１を含みうる。
【００４９】
処理４０７において、測定報告において報告されるＬＣＱＩ＿ｃａｎｄｉｄａｔｅ値に基づき、ＲＮＣは、リンクレベル劣化評価を実行する。当該評価では、ＲＮＣは、ＵＥがサービングセルから候補近傍セルにオフロードされ、その後、報告されるＬＣＱＩ＿ｃａｎｄｉｄａｔｅ値を比較することを想定する。当該比較に基づき、ＲＮＣは、ＵＥのサービングセルが候補セルの１つに変更された場合、どれくらいのリンクレベルパフォーマンス差が導入されるか評価可能である。
【００５０】
例えば、ＬＣＱＩ＿ｃａｎｄｉｄａｔｅ値の間の差が所定の閾値（Ｔｈｒｅｓｈｏｌｄ２）以下であるとき、ＲＮＣは、ＵＥが対応する候補セルにオフロードされた後、リンクレベルパフォーマンスロスが指定された範囲又はパーセンテージ内にあると判断する。特定の例として、リンクレベルパフォーマンスは、ある指定されたＢＬＥＲｔａｒｇｅｔ（ＲＮＣにおいて予め決定されるターゲットブロック誤り率）が実現されると仮定する、調べられたセルとＵＥとの間のデータチャネルにおいて伝送可能なトランスポートブロックサイズ（ＴＢＳ）によって測定又は規定できる。リンクレベル劣化を評価することによって、ＲＮＣは、ＵＥが報告された近傍セルリストにおける候補セルにオフロードされると仮定すると、どのくらいのリンクレベルパフォーマンスロスが予想可能であるか推定できる。
【００５１】
処理４０９において、ＲＮＣは、ＵＥがオーバロードのサービングセルからロードの軽い候補近傍セルにオフロードされると、どのくらいの（又はいくつの）スケジューリングリソースが取得できるか評価する。各ＮｏｄｅＢにおけるロード状態（マクロＮｏｄｅＢとＬＰＮとの双方を含む）は、ネットワークにおける対応するＲＮＣによって知られている。ロード状態に加えて、各ＮｏｄｅＢにおけるスケジューリング原理は、通常はＲＮＣによって知られている。この情報に基づき、ＲＮＣは、ＵＥが候補セルにオフロードされた場合、スケジューリングリソースに対してどのくらいのゲインがＵＥに対して取得可能であるか評価できる。
【００５２】
一例として、高速ダウンリンクパケットアクセス（ＨＳＤＰＡ）のスケジューリングリソースは、ＵＥにスケジューリング又は割り当てられる利用可能なＴＴＩの数によって測定可能である。あるいは、オフロード後に利用可能な更なる高速物理ダウンリンク共有チャネル（ＨＳ−ＰＤＳＣＨ）コードリソースの平均数は、スケジューリングリソースに対するゲインの評価におけるもう１つの考慮点とすることができる。他の方法が本開示の範囲内のスケジューリングリソースについて利用可能であることが理解されるであろう。
【００５３】
ＲＮＣは、受信した測定報告のセルリストにおける各候補セルに対して処理４０７及び４０９の評価を実行可能である。
【００５４】
処理４１１において、ＲＮＣは、ＵＥを候補セルにオフロードするか決定する。処理４０７及び処理４０９からの評価結果に基づき、ＲＮＣは、ＵＥがオフロード後の強力な干渉によるリンクレベルパフォーマンスの劣化を解消するのに十分なスケジューリングリソースを何れの候補近傍セルから取得可能であるか知る。従って、ＲＮＣは、ＵＥをオフロードするための決定を行い、その後、オフロードターゲットセルとして候補セルを選択できる。ＵＥをオフロードするための決定を行う際、ＲＮＣは、オフロード処理により全体的なネットワークキャパシティを向上させる課題を検討し、ＵＥのスループットを向上させる課題を検討することができる。
【００５５】
処理４０７、４０９及び４１１の順序は、特定の実現形態に従って再構成可能である。一例として、これらの処理の２つ以上がＲＮＣによって実質的に同時に実行可能である。
【００５６】
ＲＮＣがＵＥを候補セルにオフロードすることを決定した場合、処理４１３又は処理４１５の何れかが実行される。換言すると、ＣＩＯ適応化シグナリングがトリガされ、新たなＣＩＯ適応化シグナリングがトリガがＬＰＮに送信されることを意味するか、又は、オフロード手順が直接開始される。
【００５７】
処理４１３において、ＲＮＣは、ＵＥに対してＵＥに固有のＣＩＯパラメータを設定し、それからＲＲＣシグナリングを用いてＵＥに固有のＣＩＯパラメータをＵＥに送信する。ＲＮＣは、ＲＲＣシグナリングを用いて、ＵＥがＬＰＮにオフロードされる可能性がより高くなることを保証するため、ターゲットＬＰＮに対してＵＥに固有のＣＩＯパラメータを設定する。
【００５８】
あるいは、処理４１５において、ＲＮＣは、ＵＥをターゲット候補オフロードセルにオフロードするため、マクロＮｏｄｅＢにおいてハンドオーバ／サービングセル変更手順を開始する。
【００５９】
いくつかの実施例では、上述したＣＱＩ＿ｃａｎｄｉｄａｔｅ測定の代替として、リンクレベルパフォーマンス差の測定値は、以下に従って規定されるΔＬＣＱＩｃａｎｄｉｄａｔｅとすることが可能であり、
【数５】
0006334728.tif 000006
ただし、ＬＣＱＩｃａｎｄｉｄａｔｅは、対応する測定制御メッセージにより設定される候補近傍セルの長期ＣＱＩであり（上述されたように）、ＬＣＱＩｓｅｒｖｉｎｇはサービングセルの長期ＣＱＩである。測定値ΔＬＣＱＩｃａｎｄｉｄａｔｅは、各候補セルについて決定可能である。他の規定として、測定値ΔＬＣＱＩｃａｎｄｉｄａｔｅはまた、以下に従って規定できる。
【数６】
0006334728.tif 000007
【００６０】
測定値がΔＬＣＱＩｃａｎｄｉｄａｔｅである実施例では、ＵＥによってＲＮＣに送信される測定報告は、対応する測定制御メッセージにより設定される候補セルのリストに対応するΔＬＣＱＩｃａｎｄｉｄａｔｅのリストを含みうる。測定報告はまた、ＲＳＣＰ、ＲＳＣＰ／ＲＳＳＩ及びＥｃ／Ｎｏなどの従来の測定値を任意的に含みうる。
【００６１】
図５は、本開示による測定報告及びＵＥに固有のＣＩＯ適応化及びオフロード処理のための他の一例となる処理のワークフロー図を示す。処理５００は、Ｈｅｔｎｅｔ１００、Ｈｅｔｎｅｔ２００又は他の何れか適したシステムにおいて実行されてもよい。処理５００の処理の多くは、処理４００の対応する処理と同一又は類似する。これらの処理の詳細な説明はここでは繰り返されない。
【００６２】
処理５０１において、ＲＮＣは、ＵＥにより実行される１つ以上の測定を設定するため、測定制御メッセージをＵＥに送信する。処理５０３において、ＵＥは、１つ以上の測定を実行する。
【００６３】
処理５０５において、トリガイベントの発生後、ＵＥは、測定報告をＲＮＣに送信する。図４の処理４０５において送信される測定報告と同様に、処理５０５における測定報告の送信はイベントトリガされる。しかしながら、処理５０５におけるトリガイベント及び測定結果のコンテンツは、処理４０５におけるものと異なる。ここで、トリガイベントはエンハンスされたイベント１Ｄであり、測定報告はエンハンスされたイベント１Ｄとして規定される。
【００６４】
エンハンスされたイベント１Ｄは、ＲＳＲＰ及びＥｃ／Ｎｏなどの従来のイベント１Ｄ測定の代わりに、長期ＣＱＩなどのデータチャネルのリンクレベルパフォーマンスの測定を考慮する。しかしながら、いくつかの実施例では、報告される測定は、長期ＣＱＩに加えて、ＲＳＣＰ及びＥｃ／Ｎｏなどの従来の測定を含むことができる。
【００６５】
エンハンスされたイベント１Ｄの測定報告のフォーマットは、従来の測定報告のフォーマットを再利用可能である。エンハンスされたイベント１Ｄ測定報告のフォーマットは従来の報告と同様であるが、エンハンスされたイベント１Ｄ報告は、異なるタイプの報告として規定され、これにより、ネットワークは、当該イベントが従来のトリガ条件（すなわち、ＲＳＣＰに基づくイベント１Ｄ）によってでなく、異なるイベントトリガ条件（すなわち、長期ＣＱＩに基づくエンハンスされたイベント１Ｄ）によってトリガされる。さらに、ＣＩＯ値はまた、測定報告においてネットワークに報告できる。
【００６６】
新たな測定報告が受信されると、ＲＮＣは、測定報告における測定データを評価し、ＵＥをオフロードするか判断する。これは以下の処理を含みうる。
【００６７】
処理５０７において、ＲＮＣは、エンハンスされたイベント１Ｄのトリガ条件が充足していることを知る。これに基づき、ＲＮＣは、オフロード処理前後のリンクレベルパフォーマンスの間の差が所定の閾値（Ｔｈｒｅｓｈｏｌｄ２）の範囲内であると知る。
【００６８】
処理５０９において、ＲＮＣは、ＵＥがオーバロードのサービングセルからロードが軽い候補近傍セルにオフロードされると、どれくらいの（又はいくつの）スケジューリングリソースが取得できるか評価する。処理５１１において、ＲＮＣは、ＵＥを候補セルにオフロードするか決定する。ＲＮＣがＵＥを候補セルにオフロードすることを決定した場合、処理５１３（ＣＩＯ適応化シグナリングがトリガされる）又は処理５１５（オフロード手順が直接開始される）の何れかが実行される。
【００６９】
いくつかの実施例では、ＵＥは、制御チャネル及び／又はデータチャネルを受信するための能力を報告するよう設定される。当該能力は、ＲＮＣに報告され、測定報告とは別に報告される。当該能力は、異なる方法で規定できる。一例では、ＵＥ能力は、特定の所望のパフォーマンスを維持しながら、制御チャネル及び／又はデータチャネルを受信するためのＵＥ能力に基づきサポート可能な最も強力な近傍セルのＲＳＣＰ（又はＥｃ／Ｎｏ）とサービングセルのＲＳＣＰ（又はＥｃ／Ｎｏ）との間の最大差として規定できる。他の例では、ＵＥは、特定の所望のパフォーマンスを維持しながら、制御チャネル及び／又はデータチャネルを受信するためのＵＥ能力に基づきサポート可能な最小のジオメトリ値として規定できる。更なる例では、ＵＥ能力は、特定の所望のパフォーマンスを維持しながら、制御チャネル及び／又はデータチャネルを受信するためのＵＥ能力に基づきサポート可能な最小のＥｃ／Ｎｏ値として規定できる。更なる他の例では、ＵＥ能力は、特定の所望のパフォーマンスを維持しながら、制御チャネル及び／又はデータチャネルを受信するためのＵＥ能力に基づきサポート可能な最大ＣＩＯ値として規定できる。
【００７０】
いくつかの実施例では、ＵＥは、処理５００の一部として制御チャネル及び／又はデータチャネルを受信するための能力を報告してもよい。例えば、処理５０５において、エンハンスされたイベント１Ｄトリガイベントが充足されると、測定報告が上述されたように送信される。しかしながら、エンハンスされたイベント１Ｄトリガイベントが充足されないとき、ＵＥは、制御チャネル及び／又はデータチャネルを受信するための能力を報告できる。いくつかの実施例では、この報告は、ＵＥがそれのサービングセルを変更した後、又は最後のサービングセル変更からの特定期間後、エンハンスされたイベント１Ｄトリガイベントが最初に充足されなくなったときに行うことができる。
【００７１】
他の実施例では、ＵＥは、ネットワークがそれの能力を報告するためのトリガ条件又はリクエストをＵＥに送信したことに応答して、制御チャネル及び／又はデータチャネルを受信するための能力を報告してもよい。ＵＥは、トリガ条件が充足したとき、ＵＥ能力報告をネットワークに送信する。
【００７２】
図６は、ここに開示される装置及び方法を実現するのに利用可能な一例となる通信システム６００を示す。一般に、システム６００は複数の無線ユーザがデータ及び他のコンテンツを送受信することを可能にする。システム６００は、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）又はシングルキャリアＦＤＭＡ（ＳＣ−ＦＤＭＡ）などの１つ以上のチャネル接続方法を実現してもよい。いくつかの実施例では、システム６００は、図１及び２に示されるＨｅｔｎｅｔシステム１００及び２００を表してもよい（又はよって表される）。
【００７３】
本例では、通信システム６００は、ユーザ装置（ＵＥ）６１０ａ〜６１０ｃ、無線アクセスネットワーク（ＲＡＮ）６２０ａ〜６２０ｂ、コアネットワーク６３０、公衆交換電話網（ＰＳＴＮ）６４０、インターネット６５０及び他のネットワーク６００を含む。これらのコンポーネント又は要素の特定数が図６に示されるが、これらのコンポーネント又は要素の何れかの数がシステム６００に含まれてもよい。
【００７４】
ＵＥ６１０ａ〜６１０ｃは、システム６００において動作及び／又は通信するよう構成される。例えば、ＵＥ６１０ａ〜６１０ｃは、無線信号又は有線信号を送信及び／又は受信するよう構成される。各ＵＥ６１０ａ〜６１０ｃは、何れか適したエンドユーザ装置を表し、このような装置をユーザ装置／デバイス（ＵＥ）、無線送信／受信ユニット（ＷＴＲＵ）、移動局、固定又は移動加入者ユニット、ページャ、携帯電話、パーソナル・デジタル・アシスタント（ＰＤＡ）、スマートフォン、ラップトップ、コンピュータ、タッチパッド、無線センサ又は家電機器として含むものであってもよい。
【００７５】
ＲＡＮ６２０ａ〜６２０ｂは、ここではそれぞれ基地局６７０ａ〜６７０ｂを含む。各基地局６７０ａ〜６７０ｂは、コアネットワーク６３０、ＰＳＴＮ６４０、インターネット６５０及び／又は他のネットワーク６６０へのアクセスを可能にするため、ＵＥ６１０ａ〜６１０ｃの１つ以上と無線インタフェースするよう構成される。例えば、基地局６７０ａ〜６７０ｂは、基地送受信局（ＢＴＳ）、Ｎｏｄｅ−Ｂ（ＮｏｄｅＢ）、進化型ＮｏｄｅＢ（ｅＮｏｄｅＢ）、ホームＮｏｄｅＢ、ホームｅＮｏｄｅＢ、サイトコントローラ、アクセスポイント（ＡＰ）、若しくは無線ルータ、有線若しくは無線ネットワークを備えたサーバ、ルータ、スイッチ又は他の処理エンティティなどの複数の周知の装置の１つ以上を含むものであってもよい。
【００７６】
図６に示される実施例では、基地局６７０ａは、他の基地局、要素及び／又は装置を含みうるＲＡＮ６２０ａの一部を形成する。また、基地局６７０ｂは、他の基地局、要素及び／又は装置を含みうるＲＡＮ６２０ｂの一部を形成する。各基地局６７０ａ〜６７０ｂは、“セル”として参照されることもある特定の地理的領域又はエリア内で無線信号を送信及び／又は受信するよう動作する。いくつかの実施例では、各セルについて複数の送受信機を有する複数入力複数出力（ＭＩＭＯ）技術が、利用されてもよい。
【００７７】
基地局６７０ａ〜６７０ｂは、無線通信リンクを用いて１つ以上の無線インタフェース６９０上でＵＥ６１０ａ〜６１０ｃの１つ以上と通信する。無線インタフェース６９０は、何れか適した無線アクセス技術を利用してもよい。
【００７８】
システム６００は上述したようなスキームを含む複数のチャネルアクセス機能を利用してもよいことが想定される。特定の実施例では、基地局及びＵＥは、ロングタームエボリューション通信規格（ＬＴＥ）、ＬＴＥ  Ａｄｖａｎｃｅｄ（ＬＴＥ−Ａ）及び／又はＬＴＥ  Ｂｒｏａｄｃａｓｔ（ＬＴＥ−Ｂ）を実現するよう構成される。もちろん、他の複数のアクセススキーム及び無線プロトコルが利用されてもよい。
【００７９】
ＲＡＮ６２０ａ〜６２０ｂは、音声、データ、アプリケーション、ボイス・オーバ・インターネット・プロトコル（ＶｏＩＰ）又は他のサービスをＵＥ６１０ａ〜６１０ｃに提供するため、コアネットワーク６３０と通信する。理解できるように、ＲＡＮ６２０ａ〜６２０ｂ及び／又はコアネットワーク６３０は、１つ以上の他のＲＡＮ（図示せず）と直接的又は間接的に通信してもよい。コアネットワーク６３０はまた、他のネットワーク（ＰＳＴＮ６４０、インターネット６５０及び他のネットワーク６６０など）のためのゲートウェイアクセスとして機能してもよい。さらに、ＵＥ６１０ａ〜６１０ｃの一部又は全ては、異なる無線技術及び／又はプロトコルを用いて異なる無線リンクを介し異なる無線ネットワークと通信する機能を有してもよい。さらに、ＵＥ６１０ａ〜６１０ｃ及び基地局６７０ａ〜６７０ｂの一部又は全ては、図４及び５に示される処理４００及び５００など、本開示により測定報告及びＵＥに固有のＣＩＯ適応化及びオフロード処理のための処理を実行するよう構成される。
【００８０】
図６は通信システムの一例を示すが、図６に対して各種変更がなされてもよい。例えば、通信システム６００は、何れか適した構成に何れかの数のＵＥ、基地局、ネットワーク又は他のコンポーネントを含みうる。
【００８１】
図７Ａ及び７Ｂは、本開示による方法及び教示を実現可能な一例となる装置を示す。特に、図７Ａは一例となるＵＥ６１０を示し、図７Ｂは一例となる基地局６７０を示す。これらのコンポーネントは、システム６００、Ｈｅｔｎｅｔシステム１００及び２００又は他の何れか適したシステムにおいて利用可能である。これらのコンポーネントは、図４及び５に示される処理４００及び５００など、本開示による測定報告及びＵＥに固有なＣＩＯ適応化及びオフロード処理のための処理を実行するのに利用可能である。
【００８２】
図７Ａに示されるように、ＵＥ６１０は、少なくとも１つの処理ユニット７００を有する。処理ユニット７００は、ＵＥ６１０の各種処理を実現する。例えば、処理ユニット７００は、信号符号化、データ処理、電力制御、入出力処理又はＵＥ６１０がシステム６００において動作することを可能にする他の何れかの機能を実行可能である。処理ユニット７００はまた、より詳細に上述した方法及び教示をサポートする。各処理ユニット７００は、１つ以上の処理を実行するよう構成される何れか適した処理又は計算装置を含む。各処理ユニット７００は、例えば、マイクロプロセッサ、マイクロコントローラ、デジタル信号プロセッサ、フィールド・プログラマブル・ゲート・アレイ又は特定用途向け集積回路などを含むことができる。
【００８３】
ＵＥ６１０はまた、少なくとも１つの送受信機７０２を含む。送受信機７０２は、少なくとも１つのアンテナ７０４による送信用のデータ又は他のコンテンツを変調するよう構成される。送受信機７０２はまた、少なくとも１つのアンテナ７０４により受信されるデータ又は他のコンテンツを復調するよう構成される。各送受信機７０２は、無線送信用の信号を生成し、及び／又は無線受信した信号を処理するのに適した何れかの構成を有する。各アンテナ７０４は、無線信号を送信及び／又は受信するのに適した何れかの構成を含む。１つ以上の送受信機７０２がＵＥ６１０において利用可能であり、１つ以上のアンテナ７０４がＵＥ６１０において利用可能である。単一の機能ユニットして示されているが、送受信機７０２はまた、少なくとも１つの送信機及び少なくとも１つの別の受信機を用いて実現可能である。
【００８４】
ＵＥ６１０は更に、１つ以上の入出力装置７０６を有する。入出力装置７０６は、ユーザとのインタラクションを実現する。各入出力装置７０６は、スピーカ、マイクロフォン、キーパッド、キーボード、ディスプレイ又はタッチ画面など、ユーザに情報を提供するか、又はユーザから情報を受信するのに適した何れかの構成を含む。
【００８５】
さらに、ＵＥ６１０は、少なくとも１つのメモリ７０８を有する。メモリ７０８は、ＵＥ６１０により使用、生成又は収集される命令及びデータを記憶する。例えば、メモリ７０８は、処理ユニット７００により実行されるソフトウェア又はファームウェア命令と、入力信号における干渉を低減又は排除するのに利用されるデータを記憶可能である。各メモリ７０８は、何れか適した揮発性及び／又は不揮発性記憶及び抽出装置を含む。ランダム・アクセス・メモリ（ＲＡＭ）、読み出し専用メモリ（ＲＯＭ）、ハードディスク、光ディスク、加入者識別モジュール（ＳＩＭ）カード、メモリスティック、セキュアデジタル（ＳＤ）メモリカードなどの何れか適したタイプのメモリが利用されてもよい。
【００８６】
さらに、本開示の一実施例は、より詳細に上述した方法及び教示を実現及びサポートしうるＵＥに関するものであってもよい。例えば、ＵＥは、測定手段及び送信手段を有してもよい。特に、測定手段は、サービングセル及び１つ以上の候補サービングセルの少なくとも１つの無線リンクパフォーマンスに関連する１つ以上の測定を実行するよう構成される。送信手段は、サービングセル及び１つ以上の候補サービングセルの少なくとも１つの無線リンクパフォーマンスに関連する１つ以上の測定を含む測定報告をネットワークコントローラに送信するよう構成される。測定報告は、例えば、１つ以上の候補サービングセルのうちの第２のセルにＵＥをオフロードするか決定するため、ネットワークコントローラにおいて利用されるよう構成されてもよい。
【００８７】
任意的には、測定報告は、現在のサービングセル及び候補サービングセルの１つからの干渉キャンセレーション又は抑制後の測定、又は受信信号コード電力（ＲＳＣＰ）及び受信信号強度インジケータ（ＲＳＣＰ／ＲＳＳＩ）を示す１つ以上の従来の測定量、又は候補サービングセルの１つのリンク品質と現在のサービングセルのリンク品質との間の差を示す少なくとも１つの測定量を含むものであってもよい。
【００８８】
任意的には、測定報告における少なくとも１つの測定量は、長期のチャネル品質インジケータ測定を含む。
【００８９】
任意的には、サービングセルはＮｏｄｅＢにより提供されてもよく、第２のセルは低電力ノード（ＬＰＮ）により提供される。第２のセルは、例えば、サービングセルを提供する同一のＮｏｄｅＢにより提供されてもよい。
【００９０】
任意的には、測定報告は、イベント１Ｄ又はエンハンスされたイベント１Ｄの発生に応答して、ＵＥにより送信されてもよい。エンハンスされたイベント１Ｄは、長期チャネル品質インジケータ（ＣＱＩ）の測定を含むか、又はサービングセルと候補サービングセルの１つとのリンクレベルパフォーマンスの差の値の決定と、エンハンスされたイベント１Ｄをトリガするのを決定するための所定の閾値と差の値との比較とを含むものであってもよい。任意的には、測定報告は、所定のスケジュールに従って定期的にＵＥによって送信されてもよい。
【００９１】
任意的には、情報要素（ＩＥ）は、候補サービングセルのリストをＵＥに示すのに利用される。
【００９２】
任意的には、ＵＥは更に受信手段を有してもよい。受信手段は、ネットワークコントローラから測定制御メッセージを受信するよう構成され、ＵＥは、測定制御メッセージの受信に応答して、１つ以上の測定を実行してもよい。
【００９３】
図７Ｂに示されるように、基地局６７０は、少なくとも１つの処理ユニット７５０、少なくとも１つの送信機７５２、少なくとも１つの受信機７５４、１つ以上のアンテナ７５６及び少なくとも１つのメモリ７５８を含む。処理ユニット７５０は、信号符号化、データ処理、電力制御、入出力処理又は他の何れかの機能など、基地局６７０の各種処理を実現する。処理ユニット７５０はまた、より詳細に上述される方法及び教示をサポートできる。各処理ユニット７５０は、１つ以上の処理を実行するよう構成される何れか適した処理又は計算装置を含む。各処理ユニット７５０は、例えば、マイクロプロセッサ、マイクロコントローラ、デジタル信号プロセッサ、フィールド・プログラマブル・ゲート・アレイ又は特定用途向け集積回路を含みうる。
【００９４】
各送信機７５２は、１つ以上のＵＥ又は他の装置への無線送信用の信号を生成するのに適した何れかの構成を含む。各受信機７５４は、１つ以上のＵＥ又は他の装置から無線受信した信号を処理するのに適した何れかの構成を含む。別々のコンポーネントとして示されているが、少なくとも１つの送信機７５２と少なくとも１つの受信機７５４とは、送受信機に合成できる。各アンテナ７５６は、無線信号を送信及び／又は受信するのに適した何れかの構成を含む。通常のアンテナ７５６が送信機７５２と受信機７５４との双方に結合されているとしてここでは示されているが、１つ以上のアンテナ７５６が送信機７５２に結合可能であり、１つ以上の別のアンテナ７５６が受信機７５４に結合可能である。各メモリ７５８は、何れか適した揮発性及び／又は不揮発性記憶及び抽出装置を含む。
【００９５】
ＵＥ６１０及び基地局６７０に関する更なる詳細が当業者に知られる。また、これらの詳細は簡単化のためここでは省略される。
【００９６】
さらに、本開示の一実施例は、より詳細に上述した方法及び教示を実現及びサポートしうるネットワークコントローラ装置に関するものであってもよい。例えば、ネットワークコントローラ装置は、受信手段及び判定手段を有してもよい。受信手段は、ＵＥから測定報告を受信するよう構成され、測定報告は、干渉キャンセレーション又は抑制後に測定されるサービングセル及び１つ以上の候補サービングセルの少なくとも１つの無線リンク測定量を含むものであってもよい。判定手段は、ＵＥからの測定報告に部分的に基づき、１つ以上の候補サービングセルのうちの第２のセルにＵＥをオフロードするか判定するよう構成される。
【００９７】
任意的には、ネットワークコントローラ装置は更に、オフロード手段を有してもよい。オフロード手段は、ＵＥを第２のセルにオフロードするよう構成される。好ましくは、オフロード手段は、無線リソース制御（ＲＲＣ）シグナリングを介しＵＥに対してセル個別オフセット（ＣＩＯ）を設定するか、又はＲＲＣシグナリングを介しオフロード手順をトリガするよう構成されてもよい。
【００９８】
任意的には、測定報告は、受信信号コード電力（ＲＳＣＰ）及び受信信号強度インジケータ（ＲＳＣＰ／ＲＳＳＩ）を示す１つ以上の従来の測定量、又は候補サービングセルの１つのリンク品質と現在のサービングセルのリンク品質との間の差を示す少なくとも１つの測定量を含むものであってもよい。
【００９９】
任意的には、測定報告における少なくとも１つの測定量は、長期チャネル品質インジケータ測定を含む。
【０１００】
任意的には、サービングセルはＮｏｄｅＢにより提供されてもよく、第２のセルは低電力ノード（ＬＰＮ）により提供される。第２のセルは、例えば、サービングセルを提供する同一のＮｏｄｅＢにより提供されてもよい。
【０１０１】
任意的には、測定報告は、イベント１Ｄ又はエンハンスされたイベント１Ｄの発生に応答して、ＵＥにより送信されてもよい。エンハンスされたイベント１Ｄは、長期チャネル品質インジケータ（ＣＱＩ）の測定を含むか、又はサービングセルと候補サービングセルの１つとのリンクレベルパフォーマンスの差の値の決定と、エンハンスされたイベント１Ｄをトリガするのを決定するための所定の閾値と差の値との比較とを含むものであってもよい。任意的には、測定報告は、所定のスケジュールに従って定期的にＵＥによって送信されてもよい。
【０１０２】
任意的には、情報要素（ＩＥ）は、候補サービングセルのリストをＵＥに示すのに利用される。
【０１０３】
いくつかの実施例では、装置の１つ以上の機能又は処理の一部又は全ては、コンピュータ可読プログラムコードから形成され、コンピュータ可読媒体に具現化されるコンピュータプログラムによって実現又はサポートされる。“コンピュータ可読プログラムコード”というフレーズは、ソースコード、オブジェクトコード及び実行可能コードを含む何れかのタイプのコンピュータコードを含む。“コンピュータ可読媒体”というフレーズは、読み出し専用メモリ（ＲＯＭ）、ランダム・アクセス・メモリ（ＲＡＭ）、ハードディスクドライブ、コンパクトディスク（ＣＤ）、デジタルビデオディスク（ＤＶＤ）又は他の何れかのタイプのメモリなど、コンピュータによりアクセス可能な何れかのタイプの媒体を含む。
【０１０４】
本特許文献を通じて用いられる特定の単語及びフレーズの定義を以下に提供することが効果的であり得る。“含む”及び“有する”という用語と共にこれらの派生語は、限定することなく包含することを意味する。“又は”という用語は、包含的であり、及び／又はを意味する。“関連する”及び“それに関連する”という用語と共にこれらの派生語は含む、〜内に含まれる、〜と相互接続する、内蔵する、〜内に内蔵される、〜に又は〜と接続する、〜に又は〜と結合する、〜と通信可能である、〜と連携する、インタリーブする、並置する、〜に近接する、〜に又は〜と結び付けされる、有する、〜の性質を有するなどを意味する。
【０１０５】
本開示は特定の実施例及び通常関連する方法を説明したが、これらの実施例及び方法の変更及び並び替えが当業者に明らかであろう。従って、一例となる実施例の上記説明は、本開示を規定又は制限するものでない。他の修正、置換及び変更がまた、以下の請求項により規定されるような本開示の精神及び範囲から逸脱することなく可能である。
【図１】
0006334728.tif 000008
【図２】
0006334728.tif 000009
【図３】
0006334728.tif 000010
【図４】
0006334728.tif 000011
【図５】
0006334728.tif 000012
【図６】
0006334728.tif 000013
【図７】
0006334728.tif 000014